(57)【要約】      （修正有）【課題】余分な油分を十分に除去でき、効果的に着脱が容易で、より自然な状態での使用に近い指用装着具を提供すること。【解決手段】指用装着具において、複数の突起が形成された不透水部材からなる複数の指形状部材と、この複数の指形状部材を連結する連結部材と、を有することとする。また、この連結部材は人の手に装着された場合に掌の指近傍を覆う一方、掌の手首近傍を露出させ、指形状部材には穴を形成する。若しくは、連結部材を、人の手に装着された場合に指との間に間隙を形成するよう構成し、指形状部材には穴を形成する。【選択図】図１０
0003115094.tif 000002
【実用新案登録請求の範囲】
【請求項１】
複数の突起が形成された不透水部材からなる複数の指形状部材と、
該複数の指形状部材を連結する連結部材と、を有する指用装着具。
【請求項２】
前記連結部材は、人の手に装着された場合に掌の指近傍を覆い、掌の手首近傍を露出させるものであることを特徴とする請求項１記載の指用装着具。
【請求項３】
前記連結部材は、掌の中心近傍を露出させるものであることを特徴とする請求項１又は２記載の指用装着具。
【請求項４】
前記指形状部材は、エラストマー、医療用シリコーン、ポリエチレン又はポリプロピレンで形成されていることを特徴とする請求項１記載の指用装着具。
【請求項５】
前記指形状部材には、蛇腹部が形成されていることを特徴とする請求項１記載の指用装着具。
【請求項６】
前記指形状部材は５本であることを特徴とする請求項１記載の指用装着具。
【請求項７】
前記指形状部材は４本であることを特徴とする請求項１記載の指用装着具。
【請求項８】
前記指形状部材には、穴が形成されていることを特徴とする請求項１記載の指用装着具。
【請求項９】
前記穴の径は、３ｍｍ以下であることを特徴とする請求項８記載の指用装着具。
【請求項１０】
前記突起は、正面から見た場合、円形状であることを特徴とする請求項１記載の指用装着具。
【請求項１１】
前記円形状の直径は１ｍｍ以下であることを特徴とする請求項１０記載の指用装着具。
【請求項１２】
前記突起は、正面から見た場合、楕円形状であることを特徴とする請求項１記載の指用装着具。
【請求項１３】
前記楕円形状の長軸方向が前記指形状部材の延伸方向に沿って配置されていることを特徴とする請求項１２記載の指用装着具。
【請求項１４】
前記楕円形状の短軸方向が前記指形状部材の延伸方向に沿って配置されていることを特徴とする請求項１２記載の指用装着具。
【請求項１５】
前記楕円形状の長軸方向が放射線状に配置されていることを特徴とする請求項１２記載の指用装着具。
【請求項１６】
前記突起の断面は、球面形状であることを特徴とする請求項１記載の指用装着具。
【請求項１７】
前記突起の断面は、台形状であることを特徴とする請求項１記載の指用装着具。
【請求項１８】
前記突起の断面は、先端が尖っていることを特徴とする請求項１記載の指用装着具。
【請求項１９】
前記突起の断面は、波形状であることを特徴とする請求項１記載の指用装着具。
【請求項２０】
前記突起の断面において、突起と前記指形状部材がなす角度は６０度以上９０度以下であることを特徴とする請求項１記載の指用装着具。
【請求項２１】
前記指形状部材の長さは５ｃｍ以下であることを特徴とする請求項１記載の指用装着具。
【請求項２２】
前記連結部材は、人の手に装着された場合に、指との間に間隙を形成する請求項１又は２１記載の指用装着具。
【請求項２３】
前記指形状部材の内面にも突起が形成されていることを特徴とする請求項１記載の指用装着具。
【請求項２４】
リバーシブルに使用可能なことを特徴とする請求項１又は２３記載の指用装着具。
【考案の詳細な説明】
【技術分野】
【０００１】
本考案は指用装着具に関し、特に、洗髪や洗顔において好適に用いることができるものに関する。
【背景技術】
【０００２】
洗髪や洗顔は日常生活において欠かすことのできない行為であり、頭部における毛髪の状態や顔面の皮膚の状態にも大きな影響を与えるものである。
【０００３】
洗髪や洗顔は素手で行われるのが一般的であるが、素手による洗髪、洗顔では毛根や毛穴の余分な油分を十分に除去することはできない場合がある。これは、人間の指先が平らであるため、頭の形や顔の形に馴染んでしまい、毛根近傍、毛穴近傍に効果的な圧力をかけることが難しくなるためであろうと推察される。また、洗髪や洗顔の際、毛根や毛穴の近傍を充分にマッサージして血行を良好に保つことは極めて重要である。
【０００４】
一方、かかる課題に対し、不透水性の材料よりなる手袋において、指の腹側に相当する部分に突起を形成した手袋が下記特許文献１に記載されている。
【特許文献１】特開２００２−２６６１２８号公報
【考案の開示】
【考案が解決しようとする課題】
【０００５】
しかしながら、上記特許文献１に記載の手袋は、装着した場合に手全体を覆うものであって、例えば水を用いる環境では手袋と皮膚とが水の浸入により密着し、着脱が非常に困難になるといった課題が残る。また一般的に、洗髪剤や洗顔剤等を毛髪や顔などに施す際には掌に一度洗髪剤等をつけて泡立ててから行うことが多く、手全体が不透水性の材料に覆われている場合は、結局、この作業を手袋を介して行わなければならず、掌の感覚が鈍り、洗剤の使用効率の低下、使用における違和感が残るといった課題も残る。
【０００６】
そこで、本考案は上記課題を鑑み、余分な油分を効果的に除去でき、着脱が容易で、より自然な状態に近い使用が可能な指用装着具を提供することを目的とする。
【課題を解決するための手段】
【０００７】
考案者は、上記課題について鋭意検討を行った結果、複数の突起が形成された複数の指形状部材を設け、これを連結することで、余分な油分を効果的に除去でき、着脱が容易で、より自然な状態での使用に近い指用装着具を提供することができることに想到し、本考案に至った。
【０００８】
即ち、本考案に係る指用装着具は、複数の突起が形成された不透水部材からなる複数の指形状部材と、この複数の指形状部材を連結する連結部材と、を有することを特徴とする。ここで「不透水部材」とは、水を透過させない又は極めて水を透過させにくい部材をいい、例えばゴムやプラスチック（ポリエチレン、塩化ビニール、ポリプロピレン等）が好適である。特に、本考案に係る指用装着具の不透水部材としては、指先の感覚を保ったまま洗顔や洗髪等に好適に用いることができるべく薄く弾性を有すること、更には、頭皮や顔等における余計な油分を除去することができる程度に適度な抵抗を有するよう表面に粗さを有していることが極めて望ましい。このため、厚さとしてはこれに制限されるわけではないが０．５ｍｍ以上２ｍｍ以下であることが望ましく、材質としてはエラストマーであることが好ましい。なおこの場合において、不透水部材は、指先を覆う先端部分の厚みを厚くしておくと、爪が接触することによる破損を防止する上で有用である。なお材質としては、例えばスチレン系熱可塑性エラストマー、医療用シリコーン、ポリエチレン、ポリプロピレンなどを好適に用いることができる。
【０００９】
また本考案における「突起」とは、指形状部材表面に形成されるものであって、これにより表面積を増加させて、毛根近傍や毛穴近傍における接触頻度を高め、余分な油分を除去することができるようになり、マッサージ効果も得られる。突起が形成される位置としては装着した場合に指の腹に当たる部分に形成することが望ましい。数としては特段に制限は無いが、不透水部材の先端部分から下１ｃｍ１〜２ｃｍの範囲に複数設けておくと、好ましい洗髪、洗顔方法を達成する上で効果的である。なおもちろん、不透水部材全体に突起を設けることも可能な態様である。また、突起の部材としては、さまざまなものを使用することができるが、指形状部材と同一の材料で構成することが製造の観点から極めて望ましい。また、この形状としては正面から見た場合、円形状であること又は楕円形状であることが望ましい態様である。なお円形状である場合、毛根等の大きさや間隔との関係からその直径は１ｍｍ以下であることが望ましく、楕円形状の場合、同様の観点から楕円の短軸が１ｍｍ以下であることが望ましい。更に、突起が楕円形状の場合、楕円の長軸方向が指形状部材の延伸方向に沿って配置されていること、楕円の短軸方向が指形状部材の延伸方向に沿って配置されていること、又は、楕円の長軸方向が放射線状に配置されていること、が望ましい。ここで指形状部材の延伸方向とは、指形状部材の先端部と開口部とを結んだ方向であり、具体的には挿入される指に沿った方向をいう。なお短軸方向が指形状部材の延伸方向に沿って配置されている場合、洗髪において望ましいといわれる態様（頭の側部から頂点に沿って指を移動させる態様）においてより効果的である。更に、この突起の断面形状としては、球面形状であること、台形状であること、先端が尖った形状であること、波形状であることが望ましい。更に、突起と指形状部材とがなす角は、特段に限定されるわけではないが３０度以上６０度以下であることがより望ましい。このようにすることで突起による効果を保つ一方、角度が大きくなることによりこの角部において生じるおそれのある亀裂を有効に抑えることができる。なお高さとしては１ｍｍ以下であることが望ましい。
【００１０】
また本考案における「連結部材」とは、複数の指形状部材を連結する部材であって、指形状部材を連結することにより、使用中における脱落、回転による油分除去効果の低減を防ぐことができるようになる。この部材は指形状部材を連結することができるものであるが、洗浄部材を手に装着した場合、掌の少なくとも一部を露出させる形状を有する部材であり、手袋のように掌全体を覆ってしまう部材を除外する。少なくとも掌の一部を露出させることで、掌により洗剤等を泡立てるなどの細かい動作を容易に行うことができ、しかも水を用いて用具と皮膚との間に水が入ってきたとしても、一部が覆われているだけであるためその抵抗を少なくし着脱が容易になるといった利点がある。掌の少なくとも一部を露出させる連結部材の態様としては、人の手に装着された場合に掌の指近傍を覆い、掌の手首近傍を露出させるものとする態様や、更には、掌の中心近傍を露出させるものとする態様が好適である。即ち、本考案に係る「指用装着具」とは、掌の少なくとも一部を露出させるものであって、手全体を完全に覆う手袋とは区別されるものである。
【００１１】
また、本考案に係る指用装着具は、指形状部材が５本であることも望ましく、４本であることも望ましい。特に４本である場合、例えば親指に対応する指形状部材についての製造を省略することができ、製造が極めて容易になるという利点がある。もちろん、３本、２本であっても可能である。
【００１２】
また、本考案に係る指用装着具は、指形状部材において穴が形成されていることも望ましい。このようにすることで、指形状部材と指との間に水が入ったとしても、この穴から水を排出させることができるようになるため、水が大量に入ることによる使用中の脱落を防ぐだけでなく、穴から空気を導入することができるため指形状部材内部の気圧を調整して脱ぎやすくなるといった利点がある。この穴の形状としては特段に限定されるものではないが、角のある形状であるとこの角から亀裂が入るおそれがあるため角のない円形や楕円形などが望ましく、穴の大きさ（径）としては、大きすぎると使用中に指先がこの穴から出てしまう場合が考えられること等を考慮し概ね３ｍｍ以下であることが望ましい。なおこの穴部の位置についても、特段に限定されるわけではないが、装着した際に爪側（指の腹とは逆の側）にあることが望ましい。
【００１３】
また本考案に係る指用装着具の指形状部材は、蛇腹部が形成されていることが望ましい。このようにすることで、指の曲げ伸ばしに沿わせた動作が容易となり、より効果的である。
【００１４】
また本考案に係る指用装着具は、指形状部材の長さは５ｃｍ以下であることが望ましい。当然人によって指の長さは異なるものであるが、５ｃｍ以下とすることにより、平均的な成人の指の第二関節部位近傍に指形状部材の端部を位置させることができ、更にこれを連結部材で連結することにより、指の股部と連結部材との間に間隙を形成することができる。そしてこの間隙部に他方の指の先を挿入することで、より容易に指用装着具を脱ぐことができるようになる。ただもちろん、指形状部材を５ｃｍ以上とし、この指形状部材の途中部分において連結部材で形成するという形態も可能ではある。
【００１５】
また  本考案にかかる指用装着具は、指形状部材の内面にも突起が形成されていることが望ましく、また、リバーシブルに使用可能なことが望ましい。このようにすることで、一の用具において複数の用途に使用することができ効果的である。
【考案の効果】
【００１６】
以上、本考案は、余分な油分を十分に除去でき、効果的に着脱が容易で、より自然な状態での使用に近い指用装着具となる。
【考案を実施するための最良の形態】
【００１７】
以下、本考案を実施するための最良の形態について説明する。
【００１８】
（実施形態１）
本実施形態に係る指用装着具の概略図を図１に示す。図１は左手側を掌側から見た場合の図である。本実施形態に係る指用装着具１は、複数の突起２１、穴が形成された複数の指形状部材２と、この指形状部材を連結する連結部材３と、を有して構成されており、左右の手それぞれに装着可能な一対の組となっている。
【００１９】
本実施形態の指形状部材２は、人の指を覆う部材であり、この指形状部材２の内部は空洞となっている。そして開口部２３から指を挿入することにより指を覆うことができる。この指形状部材２の部分拡大図を図２に示す。なお、本実施形態においては、指形状部材２には、スチレン系熱可塑性エラストマーを用い、厚さは均一に０．８ｍｍとした。また、指形状部材２の先端部分は爪による切れを防止するため、２ｍｍ程度の肉厚としてもよい。また、指形状部材２には医療用シリコーン、ポリエチレン、ポリプロピレン等を用いることができる。これらの何れの材料においても、硬度が低く、柔らかいものを用いるのが好ましい。また、これらの材料は、商品安全法にも適合しており、また酸やアルカリにも強いので、本考案の指形状部材として好適に用いることができる。また、指形状部材２の材料であるスチレン系熱可塑性エラストマー、医療用シリコーン、ポリエチレン、ポリプロピレン等には、トルマリンの原石の粉状物又はゲルマニウムを混ぜてもよい。
【００２０】
指形状部材２の突起２１の各々は指形状部材を正面から見た場合、直径１ｍｍの円形状であって、断面は高さ１ｍｍの球面状となっており、これらが指形状部材の表面、特に装着した場合に指の腹の部分にくるよう複数配置されている。これにより、頭皮の毛根又は毛穴に付着した余分な油分を除去することができ、マッサージ効果も得ることができる。なお、突起２１は、指の腹の部分にくるように設けるだけでなく、指の先端部分にくるように設けても良い。また指形状部材２の突起２１が形成された側と反対の側には穴２２が形成されており、使用中に開口部２３等から水が入った場合であっても、この穴２２から水を排出させることができる。なおこの穴２２の形状は直径２ｍｍの円形状である。この穴２２を２個以上設けても良い。なお、本指用装着具では、更に、親指に装着される指形状部材２の突起２１を、掌側から見た場合において指の腹の部分から少し外側（指形状部材とは反対側）に配置させてもいる。このようにすることで洗髪の際、突起の位置をより正確に頭皮に当てることができるようになり有用である。なお、指形状部材２の指の部分の長さは、先端部より６センチ位が好ましい。
【００２１】
本実施形態では突起２１は正面から見た場合に円形状、断面は球状としたが、毛髪等の近傍の余分な油分を除去することができる限りにおいて限定されず、例えば正面から見た場合を楕円形状とすること、断面を台形状としたり、先端をとがらせたりすること、更には波形状の断面形状も可能である。特に先端を尖らせる場合、歯ブラシの毛先のように極細のプラスチック繊維を配置する態様も可能である。なお図３に、正面から見た場合の他の形態の例（図３（Ａ）は楕円形状であって指形状部材の延伸方向に沿って長軸が配置されている例、図３（Ｂ）は楕円形状であって指形状部材の延伸方向に沿って短軸が配置されている例、図３（Ｃ）は楕円形状であって放射線状に長軸が配置されている例）を示し、図４に断面の形態の例（図４（Ａ）は断面が球面状である例、図４（Ｂ）は断面が台形状である例、図４（Ｃ）は先端が尖っている例、図４（Ｄ）は先端が極細の毛先である場合の例）を示す。また本実施形態に係る指形状部材２には、人の指の関節に対応させて蛇腹部が形成されていることも使用時における取り扱いの観点から望ましい。図５に蛇腹部２４が形成された指形状部材２の部分拡大図を示しておく。なお、指形状部材２の製造を容易にするためには、蛇腹部は付けない方がよい。
【００２２】
また本実施形態に係る連結部材３は、指形状部材２を連結するための部材であって、人の手に装着された場合に掌の指近傍の部分を覆い、それ以外の部分、特に掌の中心近傍を露出させる態様となっている。より具体的には、手袋の掌の中央部分以下の手首側が切り取られた形となっている。このようにすることで、シャンプー等の洗剤を頭皮に施す場合でも、事前に掌に載せてあわ立てることが容易にでき、指形状部材２が使用中に回転してしまうことを防ぎ、更には、使用後においても容易に脱ぐことができるようになる。なお連結部材３は、指形状部材２と同一の材料からなり、一体に形成されている。このようにすることで、極めて容易に製造することができるようになる。
【００２３】
以上のとおり、本実施形態にかかる指用装着具により、余分な油分を十分に除去でき、効果的に着脱が容易で、より自然な状態での使用に近い指用装着具を実現できる。
【００２４】
本実施形態に係る指用装着具は、上記の構成を有するものである限りにおいてさまざまな製造方法により製造することができるが、本実施形態のようにエラストマーにより一体に製造している場合、例えば加熱により流動化させた後金型内に射出して成型するいわゆる射出成型法を用いて製造することができる。図６にこの射出成型機の概要を示しておく。図６における射出成型機４は、ギア４１１を有する駆動モータ４１、この駆動モータ４１のギア４１１と噛合うギア４２１を有する軸４２、この軸４２に固定され、ギア４２１の回転と共に回転するスクリュー４３、このスクリュー４３の周囲に配置され、スクリュー４３の回転に応じて原料を射出する射出口４４１が形成されてなる筒４４、筒４４の周囲に配置され、筒及び筒内部に充填される原料を加熱するヒーター４５、スクリュー４３と筒４４の間に原料を供給するホッパー４６、射出口４４１に接続され、上記指用装着具の構造に対応した空洞が形成されてなる金型４７、この金型４７を締める可動盤４９及び固定盤４８、を有して構成されている。即ち本実施形態に係る指用装着具は、ホッパー４６に原料を供給し、ヒーター４５で筒４４を熱するとともにスクリュー４３を回転させて射出口４４１より本実施形態に係る指用装着具に対応した金型４７に流し込むことで製造することができる。このようにすることで安価でしかも大量に本実施形態に係る指用装着具を作成することができる。
【００２５】
また、本実施形態に係る指用装着具を使用し、洗髪、毛根の洗浄、マツサージを行なった後に育毛剤を使用すると、より育毛に効果的である。さらに、本実施形態に係る指用装着具は、女性の場合、マニキュア保護及び、長い爪で髪の毛や頭皮を傷つける事を防ぐことができる。
【００２６】
（実施形態２）
本実施形態に係る指用装着具は、ほぼ実施形態１と同様であるが、実施形態１とは指形状部材の数が異なる。図７に本実施形態に係る指用装着具の概略図を示す。実施形態１では５本の指形状部材であったのに対し、本実施形態では４本の指形状部材となっている。本実施形態によると、このようにすることによって、実施形態１に係る指用装着具の効果に加え、親指に対応する指形状部材及び親指と人差し指に対応する指形状部材との間の連結部材の製造を省略することができるため、製造が簡便になるという利点がある。
【００２７】
（実施形態３）
本実施形態にかかる指用装着具は、実施形態２と指形状部材の長さ、連結部材の位置が異なり、これ以外はほぼ実施形態１と同様である。図８に本実施形態に係る指用装着具の概略図を示す。本実施形態では、最も長い中指に相当する指形状部材２の長さであっても５ｃｍ以下となっており、この指形状部材２の各開口部２３近傍に連結部材３が形成されており、装着した場合、連結部と人の指（指の股部）との間に間隙２５を形成することができる。このようにすることで、本実施形態に係る指用装着具１は、上記実施形態に係る効果だけでなく、使用後脱ぐ際に、他方の手の指をこの間隙２５に挿入し、連結部材側を指形状部材の延伸方向に力を入れながら移動させることで容易に脱ぐことができるようになる。本実施形態に係る指用装着具は、平均的成人の指の長さと他方の手の指を挿入することができる大きさを考慮して指形状部材の長さを最も長いものでも５ｃｍとしているが、もちろん、上記目的を達成するために適宜調整可能であり、また、指形状部材の長さはそのままとし、連結部材の設定位置のみを変更する実施形態も可能ではある（図９参照）。また、本実施形態では指形状部材が４本の例を示しているが、５本の場合であっても同様に適用できる（図１０、図１１参照）。
【００２８】
（実施形態４）
本実施形態に係る指用装着具は、実施形態１に係る指用装着具とほぼ同様であるが、本指用装着具がいわゆるリバーシブル（裏返すことにより別途使用可能）となっている点が異なる。即ち、一の使用形態においては実施形態１に係る指装着具と同様であるが、この内面においては、波形状の断面の突起が形成されており、裏返すことにより他の一使用形態を実現することができる。ここで図１２に指形状部材の断面を示しておく。本実施形態に係る指用装着具は、このような構成とすることで、例えば洗髪時においては円形状の突起を用いるとともに、洗髪後には指用装着具を裏返して波形状の突起を表面に出し頭皮をマッサージするという態様が可能となる。本指装着具は特に着脱が容易であるため、このような使用態様の交代がきわめて容易となる。なおもちろん、上記実施形態２、３において説明した指用装着具に対しても本実施形態を適用することは当然に可能である。
【産業上の利用可能性】
【００２９】
以上のとおり、本指用装着具は、洗髪や洗顔等に好適に用いることができ、射出成型により容易に形成でき、産業上利用が可能である。
【図面の簡単な説明】
【００３０】
【図１】実施形態１に係る指用装着具の概略を示す図。
【図２】指形状部材の先端部分を示す図。図２（Ａ）は指の腹側から見た場合を示し、図２（Ｂ）は爪側から見た場合を示す。
【図３】指形状部材の突起を正面から見た図。図３（Ａ）は突起が楕円形状であって、長軸が指形状部材の延伸方向に沿った場合を、図３（Ｂ）は短軸が指形状部材の延伸方向に沿った場合を、図３（Ｃ）は放射線状に配置された場合を示す。
【図４】指形状部材の突起の断面図。図４（Ａ）は断面が球面状である場合を、図４（Ｂ）は断面が台形状である場合を、図４（Ｃ）は突起の先端が尖った場合を、図４（Ｄ）は極細の毛先である場合を示す。
【図５】蛇腹部を有する指形状部材の拡大図。
【図６】実施形態１に係る指用装着具を製造する射出成型機の概略を示す図。
【図７】実施形態２に係る指用装着具の概略を示す図。
【図８】実施形態３に係る指用装着具の概略を示す図。
【図９】実施形態３に係る指用装着具の変形例を示す図。
【図１０】実施形態３に係る指用装着具の変形例を示す図。
【図１１】実施形態３に係る指用装着具の変形例を示す図。
【図１２】実施形態４に係る指用装着具の概略を示す図。
【符号の説明】
【００３１】
１…指用装着具、２…指形状部材、３…連結部材、４…射出成型機、２１…指形状部材、２２…穴、２３…開口部、２４…蛇腹部、２５…間隙、４１…駆動モータ、４２…軸、４３…スクリュー、４４…筒、４５…ヒーター、４６…ホッパー、４７…金型、４８…固定盤、４９…可動盤、４１１…ギア、４２１…ギア、４４１…射出口
【図１】
0003115094.tif 000003
【図２】
0003115094.tif 000004
【図３】
0003115094.tif 000005
【図４】
0003115094.tif 000006
【図５】
0003115094.tif 000007
【図６】
0003115094.tif 000008
【図７】
0003115094.tif 000009
【図８】
0003115094.tif 000010
【図９】
0003115094.tif 000011
【図１０】
0003115094.tif 000012
【図１１】
0003115094.tif 000013
【図１２】
0003115094.tif 000014